(57)【要約】【課題】特定の角度から視認した場合のみメタリック色を呈する画像が表示されるインクジェット印刷物を提供すること。【解決手段】記録媒体上にメタリック色を呈さない有機色素を含有する第一のインクを付与して第一の領域を形成する工程と、記録媒体上にメタリック色を呈する有機色素を含有する第二のインクを付与して第二の領域を形成する工程とを有し、第一の領域からの拡散光は第二の領域からの拡散光と同じ色相を有する、インクジェット記録方法。【選択図】図３
2016087985.tif 000002
【特許請求の範囲】
【請求項１】
記録媒体上に、メタリック色を呈さない第一のインクを付与して第一の領域を形成する工程と、
記録媒体上に、メタリック色を呈する有機色素を含有する第二のインクを付与して第二の領域を形成する工程と、
を有し、
前記第一の領域からの拡散光は前記第二の領域からの拡散光と同じ色相を有する、インクジェット記録方法。
【請求項２】
前記第一の領域を形成した後に前記第二の領域を形成し、
前記第二の領域を形成する工程では、前記第一の領域の少なくとも一部と重なるように前記第二の領域を形成する、請求項１に記載のインクジェット記録方法。
【請求項３】
前記第二の領域が第二のインクにより形成された被膜を有し、該被膜の膜厚は、０．０１μｍ以上１００μｍ以下である、請求項１または２に記載のインクジェット記録方法。
【請求項４】
記録媒体上に、請求項１〜３の何れか１項に記載のインクジェット記録方法によって形成されたインクジェット印刷物。
【発明の詳細な説明】
【技術分野】
【０００１】
本発明は、インクジェット記録方法およびインクジェット印刷物に関する。
【背景技術】
【０００２】
特定の角度から視認した場合のみ表示される画像は、人目を引きやすい特殊な表示である。これらの効果を備えた画像については、レンチキュラーレンズ方式やパララックスバリア方式等の公知技術を用いて、特定の角度から視認した場合のみ表示する画像として得ることができる。しかしながら、ホログラムは製造工程の複雑さと高い製造コストに問題がある。また、レンチキュラーレンズ方式やパララックスバリア方式においても、レンズ層やクリア層が必須であることから、レンズ層やクリア層と表示画像を高精度に位置合わせして張り合わせる必要がある。
特許文献１には、これらの問題を解決する方法が開示されている。すなわち、特許文献１の方法では、ベースイメージとしての画像上に、第一の異方性構造配向を有するハーフトーンの透明層を付与する。次に、第一の異方性構造配向とは異なる第二の異方性構造配向を有するハーフトーンを付与する。この第一と第二のハーフトーンの間で光沢差を出すことにより、特定の角度から視認した場合に強調して表示される画像を得る。このような特許文献１の方法では、プリントの重ね合わせを必要とすることなく光沢差を制御することができる。
【先行技術文献】
【特許文献】
【０００３】
【特許文献１】特許第４６７５７３４号明細書
【発明の概要】
【発明が解決しようとする課題】
【０００４】
しかしながら、特許文献１の方法では、異方性構造配向を有するハーフトーンを形成する必要がある。従って、全面印字する場合と比べて、付与する透明層の光沢の明るさが半分程度の明るさになってしまう場合があった。また、付与する透明層の光沢の色が、無色透明である点で有色の光沢と比べて、人の目による認識性が低下してしまう場合があった。
【課題を解決するための手段】
【０００５】
一実施形態は、
記録媒体上に、メタリック色を呈さない第一のインクを付与して第一の領域を形成する工程と、
記録媒体上に、メタリック色を呈する有機色素を含有する第二のインクを付与して第二の領域を形成する工程と、
を有し、
前記第一の領域からの拡散光は前記第二の領域からの拡散光と同じ色相を有する、インクジェット記録方法に関する。
【発明の効果】
【０００６】
特定の角度から視認した場合のみ画像が強調表示されるインクジェット印刷物を提供することができる。
【図面の簡単な説明】
【０００７】
【図１】インクジェット印刷物の一例を表す概略図である。
【図２】インクジェット印刷物を拡散光の方向から視認した場合を表す概略図である。
【図３】インクジェット印刷物を正反射光の方向から視認した場合を表す概略図である。
【発明を実施するための形態】
【０００８】
以下では、本発明の実施形態を詳細に説明する。なお、本発明は、以下の実施形態に限定されるものではなく、本発明の趣旨を逸脱しない範囲で、当業者の通常の知識に基づいて、以下の実施形態に対して適宜、変更、改良等が加えられたものも本発明の範囲に入る。
１．インクジェット記録方法
本実施形態のインクジェット記録方法では、メタリック色を呈さない第一のインクを付与して、第一のインクにより着色された第一の領域を形成する。この後、記録媒体上に、メタリック色を呈する有機色素を含有する第二のインクを付与して、第二のインクによるメタリック色を呈する第二の領域を形成する。ここで、第一の領域からの拡散光は、第二の領域からの拡散光と同じ色相を有するようになっている。従って、上記の方法によるインクジェット印刷物を、光源からの拡散光を視認する方向（光源からの入射光の入射角と鏡面方向に異なる角度）で見た場合、第一および第二の領域からは互いに同じ色相の拡散光が視認される。一方、インクジェット印刷物を、正反射光（入射光の入射角と同じ反射角で鏡面方向に反射する反射光）を視認する方向で見た場合、第一のインクにより形成された第一の領域からの拡散光とは異なる、メタリック色を呈する第二のインクにより形成された第二の領域からの正反射光を視認できる。これにより、特定の角度から視認した場合のみ、メタリック色を呈する第二の領域からなる画像が表示されるインクジェット印刷物を得ることができる。ここで、「拡散光」とは、第一の領域に対して特定の入射角で入射した光の反射光のうち、印字面の法線を挟んで反対側に入射角と等しい反射角方向に反射された光を除いた光のことである。上記の入射光が、入射角と等しい反射角方向に反射されることを、正反射または鏡面反射という。
【０００９】
インクジェット記録方法は、インクジェット方式の記録ヘッドにより第一および第二のインクを吐出して、記録媒体に画像を記録する方法である。インクを吐出する方式としては、インクに力学的エネルギーを付与する方式やインクに熱エネルギーを付与する方式が挙げられる。本実施形態においては、熱エネルギーを利用するインクジェット記録方法を採用することが特に好ましい。本実施形態のインクを用いること以外、インクジェット記録方法の工程は公知のものとすることができる。
第一の領域は、第一のインクにより着色された記録媒体表面の領域であり、第一のインクにより形成された被膜を有する、あるいはかかる被膜からなる領域であることが好ましい。
一方、第二の領域も、第二のインクにより記録媒体表面に形成されたメタリック色を呈する領域であり、第二のインクにより形成された被膜を有する、あるいはかかる被膜からなる領域であることが好ましい。第二のインクにより形成される被膜の膜厚は０．０１μｍ以上が好ましく、０．０３μｍ以上がより好ましく、０．０５μｍ以上が更に好ましい。第二の領域の被膜の膜厚が０．０１μｍ以上であることにより、正反射方向から見た場合に、良好なメタリック色を呈することができる。また、第二の領域の被膜の膜厚は１００μｍ以下が好ましく、１０μｍ以下がより好ましく、１μｍ以下が更に好ましい。第二の領域の被膜の膜厚が１００μｍ以下であることにより、第一の領域などの他のインクで形成された別領域の画像との間で段差が発生して画像特性が劣化するのを防止できる。なお、典型的には、第二の領域の膜厚は０．０１μｍ以上１００μｍ以下が好ましい。
一方、第一の領域と第二の領域は、境界を介して互いに接した状態で、互いに重なり合わない部分を持って設けられる。第一の領域と第二の領域の境界において互いに重ならないようにこれらの領域が設けられることが好ましいが、目的とする画像が得られる範囲内で、これらの領域がこれらの境界以外の部分においては重ならず、これの境界において重なっていてもよい。
更に、第一の領域と第二の領域の境界には段差が生じていないことが好ましい。これらの領域の境界に段差がないことにより、散乱光により観察する場合におけるこれらの両方の領域からなる画像をより良好なものとすることができる。第一の領域及び第二の領域が共に被膜からなる場合は、これらの領域の被膜の厚さを同程度とすることによって、第一の領域と第二の領域の境界で段差が生じず、より良好な画質を得ることができることができる。
【００１０】
２．インクジェット印刷物
インクジェット印刷物は、上記のインクジェット記録方法により、記録媒体上に形成された画像である。図１〜３を参照して、本実施形態のインクジェット印刷物を説明する。図１のインクジェット印刷物は、上述のインクジェット記録方法によって、記録媒体上に、第二のインクを印字した第二の領域１０１と、第一のインクを印字した第一の領域１０２とで構成される。第二のインクはメタリック色を呈する有機色素を含有し、第一のインクはメタリック色を呈さない有機色素を含有する。第一および第二の領域１０２、１０１を形成する順序は特に限定されない。第二の領域１０１を形成した後に第一の領域１０２を形成しても良いし、第一の領域１０２を形成した後に第二の領域１０１を形成しても良い。また、第一および第二の領域１０２、１０１を同時に形成しても良い。更に、第一の領域を形成した後に第二の領域を形成し、この際、第二の領域の一部と重なるように第二の領域を形成しても良い。これにより、第一の領域が記録媒体上で滲んだ場合においても、滲んだ部分の上に第二の領域が設けられることになり、第二の領域におけるメタリック色が視認されやすい画像を形成することが出来る。
【００１１】
図２および３はそれぞれ、図１のインクジェット印刷物を、拡散光および正反射光の方向から視認した場合の図を表す。図２に示すように、第二の領域１０１に対して光源からの拡散光を視認する方向からは、メタリック色を呈する第二のインクの拡散光と、第二のインクと同じ色相でメタリック色を呈さない第一のインクの拡散光を視認できる。従って、インクジェット印刷物からは同じ色相のベタ画像が視認される。一方、図３に示すように、第二の領域１０１に対して光源からの正反射光を視認する方向からは、メタリック色を呈さない第一のインクの拡散光とは異なる、メタリック色を呈する第二のインクの正反射光を視認できる。この結果、特定の角度から視認した場合のみメタリック色を呈する画像が表示される、インクジェット印刷物を得ることができる。
なお、第一のインクのみを付与する場合、あるいは第二のインクのみを付与する場合は、特定の角度から視認した場合のみ、第二のインクによって形成された第二の領域からなる画像が強調されるという本発明の効果を得ることができない。
以下では、インクジェット記録方法およびインクジェット印刷物で使用する各材料について詳細に説明する。
【００１２】
（第一のインク）
メタリック色を呈さない第一のインクは、記録媒体上で金色、銀色、銅色等の光沢を有さないインクを意味する。記録媒体上に付与された第一のインクからなる第一の領域は、記録媒体上に付与された第二のインクからなる第二の領域からの反射光のうち正反射光成分を除いた光である拡散光と同じ色相を有する。
ここで、「同じ色相」であることは、以下のようにして確認する。すなわち、まず、波長が３８０ｎｍ以上７８０ｎｍ以下の領域において、第一および第二の領域を積分球型分光測色計の正反射光成分を除いた測色方式でＤ５０光源（ＪＩＳ  Ｚ  ８７２０：２０１２に規定）を用いて測色する。そして、第一および第二の領域の、ＣＩＥ表色系で示された色度ａ*ｂ*または色相角ｈが同等となった場合に、「同じ色相」であると判断する。ここで、「同等」とは、人の目が色相のずれを感じない程度の色相を有することであり、人によって色相のずれの感じ方が変わるために特に限定されないが、例えば上記測定方法で測定された第１の領域と第２の領域の色相角度ｈからのずれが±１８度以下である色相を有することが好ましい。
積分球型分光測色計の正反射光成分を含まない測色方式は、前述の通り分光測色計（商品名：ＣＭ−２６００ｄ、コニカミノルタ社製)の正反射光成分除去（ＳＣＥ）方式で測定することができる。本実施形態では、印刷物の測色に好適なＤ５０光源を用いたが特に限定されない。例えば、インクジェット印刷物の使用環境に合わせて適宜、光源を、Ａ光源、Ｃ光源、Ｄ６５光源（ＪＩＳ  Ｚ  ８７２０：２０１２に規定）、Ｆ２光源、Ｆ６光源、Ｆ７光源、Ｆ８光源、Ｆ１０光源、Ｆ１２光源などに変更できる。なお、第一および第二の領域に関する色度の同等性については、何れの光源を用いた場合であっても同様の結果が得られる。
【００１３】
第一のインクは、上記の条件を満たすものであれば特に限定されないが、１種のインクでなくても良く、従来から用いられているプロセスカラーであるＣＭＹＫインク組成物を複数、混色させたものでも良い。また、プロセスカラーであるＣＭＹＫインクや、レッド、グリーン、ブルーなどに発色するインクをインクジェットヘッドから個々に吐出して、第一の領域を形成しても良い。
第一のインクは、色材（着色材）として有機色素を含有することができる。この有機色素は、上記の条件を満たすものであれば特に限定されない。例えば、有機色素として、顔料及び染料の少なくとも一方を含有することができる。染料及び顔料としては、特に限定されず、インクの色材として利用し得るものから選択し、その必要量を用いることができる。例えば、インクジェット用のインクとして公知の染料や有機顔料等を用いることができる。インクとして、染料及び／または顔料を液媒体に溶解および／または分散させたものを用いることができる。
第一のインクは、有機色素の他に、樹脂、有機溶剤、界面活性剤、水を含有することが好ましい。第一の領域に着色された被膜を形成するという観点からは、第一のインクは被膜形成用の樹脂を含むことが好ましい。
また、第一のインクは、水を５０質量％以上含有する水系インク、および水を５０質量％未満で含有する非水系インクのいずれであってもよいが、輝発性有機化合物対策（ＶＯＣ）の観点から水系インクであることがより好ましい。第一のインクは、上記成分以外にも必要に応じて、ｐＨ調整剤、消泡剤、防錆剤、防腐剤、防カビ剤、酸化防止剤、還元防止剤、蒸発促進剤、キレート剤、水溶性樹脂などの種種の添加材を含有しても良い。
【００１４】
（第二のインク）
第二のインクは、記録媒体上に付与された場合にメタリック色を呈する有機色素を含有するインク組成物である。有機色素とは、可視光の吸収あるいは放出により物体に色を与える有機化合物であり、記録媒体上でメタリック色を呈するものであれば特に限定されない。使用可能な有機色素としては例えば、シアニン系色素、メロシアニン系色素、キサンテン系色素、トリフェニルメタン色素、フタロシアニン系色素などを挙げることができる。あるいは、以下の有機色素を挙げることができる。
ピロール系化合物（特開２０００−２５６３５７号公報、特開２００１−２５３８８２号公報に記載）。
アニリン系化合物（特開２００６−２４９２５９号公報、特開２００６−２４９２５９号公報に記載）。
アゾ系化合物（特開２００９−１３２６４１号公報に記載）。
チオフェン系化合物（特許第３３１３３５７号明細書、Ｓｙｎｔｈｅｔｉｃ  Ｍｅｔａｌｓ ６８,２７５−２７９（１９９５）に記載）。
これらの有機色素は、単独で使用しても、複数を組み合わせて使用してもよい。
【００１５】
第二のインクは、上記の有機色素の他に、樹脂、有機溶剤、界面活性剤、水を含有することが好ましい。第二の領域に着色された被膜を形成するという観点からは、第二のインクは被膜形成用の樹脂を含むことが好ましい。
また、第二のインクは、水を５０質量％以上含有する水系インク、および水を５０質量％未満で含有する非水系インクのいずれであってもよいが、輝発性有機化合物対策（ＶＯＣ）の観点から水系インクであることがより好ましい。第二のインクは、上記成分以外にも必要に応じて、ｐＨ調整剤、消泡剤、防錆剤、防腐剤、防カビ剤、酸化防止剤、還元防止剤、蒸発促進剤、キレート剤、水溶性樹脂などの種種の添加材を含有しても良い。
なお、「メタリック色」とは、金色、銀色、銅色等の光沢を有する金属色のことであるが、金属色であれば良く、前述の金属色に限定されない。有色のメタリック色の特徴の一つは、白色光源から物体に入射した光（入射光）のうち鏡面反射した光（正反射光）が金属固有の色を有することである。例えば、金色は黄土色の色相を有する正反射光を呈し、銅色は茶褐色の色相を有する正反射光を呈する。銀色は無色の金属色であるため白色光源からの反射光は白色の正反射光を呈する。メタリック色は、第二のインクを付与した領域の正反射光のＣＩＥＬ*ａ*ｂ*表色系における色度によって測定することができる。本実施形態では正反射光の色度の測定には、ＧＳＰ２（村上色彩株式会社製）を用いた。
【００１６】
（記録媒体）
本実施形態のインクジェット記録方法で用いる記録媒体としては、例えば、普通紙やコート紙、アート紙、キャストコート紙などの表面加工を施した浸透性の記録媒体を用いることができる。また、塩化ビニルシートやＰＥＴフィルムなどの樹脂フィルムなどの非浸透性の記録媒体を用いることもできる。また、記録媒体は、不透明記録媒体であっても透明記録媒体であってもよい。透明記録媒体は、光学的に透明であり、例えば前記の塩化ビニルシートやＰＥＴフィルムなどの樹脂フィルムを透明記録媒体として用いることができる。なお、記録媒体はこれらに限定されるものではなく、例えば、ガラス材、布材、木材、プラスチック材、金属材などであってもよい。
【実施例】
【００１７】
以下では、本発明について、実施例および比較例を挙げて具体的に説明する。本発明は、その要旨を超えない限り下記実施例により限定されるものではない。なお、本文中「部」または「％」とあるものは特に断りのない限り質量基準である。
（実施例１）
＜分散体の製造＞
２０部のクロロホルムに、３部の２，２'−[１，４−フェニレンビス[メチレン（フェニルイミノ）−４，１−フェニレン]]ビス−エチレントリカルボニトリル（特開２００６−２４９２５９号公報に記載の金属光沢用の色素）を溶解させた。次に、この色素溶液を、別途、調製した樹脂分散剤の水溶液に加えて混合液を得た。なお、樹脂分散剤の水溶液は、スチレンアクリル酸共重合体（分子量１２０００、酸価１７０）５部と水５００部の混合物を、ｐＨ１０となるようにＫＯＨ水溶液で調整したものである。
得られた混合液に対して、氷冷下、超音波ホモジナイザーにて１５分間、乳化処理を行い、エマルションを得た。次に、エバポ―レータにより減圧下クロロホルムを留去し、色素化合物の水分散体を得た。
＜メタリック色を呈する有機色素を含有する第二のインクの調製＞
第二のインクは、インク中の色素化合物濃度が５％になるように、色素化合物の分散体と下記成分を混合して得た。
グリセリン：１０部
アセチレノールＥＨ（商品名：川研ファインケミカル社製）：１．０部
イオン交換水：残部
＜メタリック色を呈さない有機色素を含有する第一のインクの準備＞
第一のインクには、市販のマゼンタインクＢＣＩ−７ｅＭ とイエローインクＢＣＩ−７ｅＹ(共にキヤノン株式会社製) を用いた。
＜インクジェット記録＞
インクジェット記録には、Ｆ９３０（キヤノン株式会社製、記録ヘッド；６吐出口列、各５１２ノズル、インク量４．０ｐｌ（定量）、解像度最高１２００ｄｐｉ（横）×１２００ｄｐｉ（縦））を用いた。Ｆ９３０のインクカートリッジに、上記の第一および第二のインクを２種類、充填し、記録媒体上にこれらのインクを付与することでそれぞれ、記録媒体上に第一および第二の領域を設けた。なお、記録媒体としては、インクジェット用写真用紙光沢プロフェッショナルＰＲ−２０１（キヤノン株式会社製）を用いた。また、第一の領域には、マゼンタインクを１００％ＤＵＴＹ、イエローインクを７５％ＤＵＴＹで印字した。これにより、最終的にインクジェット印刷物を得た。なお、第一および第二のインクの印字記録媒体上での印字位置は、第一の領域と第二の領域が隣接し、かつ重なり合わないように設定した。また、第二の領域の膜厚は５００ｎｍとした。
【００１８】
＜インクジェット印刷物の評価＞
上述の実施例１で得られたインクジェット印刷物に対し視認する角度を変えてみたところ、特定の角度から視認した場合のみ、明るいメタリック色が表示される画像を視認できた。具体的には、第二の領域について、正反射光を視認する方向からみた場合にメタリック色が視認された。また、第二の領域について、拡散光を視認する方向からみた場合にはメタリック色が視認されず、第一の領域と同じ色相に着色されていた。このインクジェット印刷物の第一および第二の領域に対する拡散光のＣＩＥＬ*ａ*ｂ*表色系における色度を、分光測色計（商品名：ＣＭ−２６００ｄ、コニカミノルタ社製)の正反射光成分除去（ＳＣＥ）方式で測定した。この結果、第二の領域の拡散光についてはａ*＝６８．６、ｂ*＝０．４であり、第一の領域の拡散光についてはａ*＝６７．１、ｂ*＝０．４であった。従って、第一および第二の拡散光を視認する場合には同じ色相を有しており、拡散光の方向から視認した場合には、第一および第二の領域が同じ印字領域と視認される結果を得た。一方、インクジェット印刷物の第一および第二の領域に対する正反射光のＣＩＥ色度を、ＧＳＰ２（村上色彩株式会社製）で測定した。この結果、第二の領域についてはａ＊＝−４．９、ｂ＊＝２３．２となり、第一の領域についてはａ＊＝６７．３、ｂ＊＝０．６となった。この結果、第二の領域の正反射光は、第一の領域の正反射光の色相と異なるメタリック色を呈することを確認できた。これにより、入射光に対して正反射光という特定の角度から視認した場合のみメタリック色が表示されるインクジェット印刷物であることを確認できた。
【００１９】
（比較例１）
メタリック色を呈さない有機色素を含有する第一のインクとして、市販のイエローインクＢＣＩ−７ｅＹ(キヤノン株式会社製)のみを用い、第一の領域にマゼンタインクを１００％ＤＵＴＹで印字した以外は、実施例１と同様にしてインクジェット印刷物を得た。
【００２０】
＜インクジェット印刷物の評価＞
上述の比較例１で得られたインクジェット印刷物に対し視認する角度を変えてみたところ、どの角度から視認した場合でも第一のインクを付与した領域と第二のインクを付与した領域が識別され、特定の角度でのみ画像が強調表示されるインクジェット印刷物は得られなかった。具体的には、第一の領域と第二の領域は異なる色相に着色されていた。このインクジェット印刷物の第一および第二の領域に対する拡散光のＣＩＥ表色系における色度を、分光測色計（商品名：ＣＭ−２６００ｄ、コニカミノルタ社製)の正反射光成分除去（ＳＣＥ）方式で測定した。この結果、第二の領域の拡散光についてはａ*＝６８．６、ｂ*＝０．４であり、第一の領域の拡散光についてはａ*＝−６．０、ｂ*＝９２．０であった。従って、第一と第二の領域を視認する場合には異なる色相を有していることがわかり、これによりどの角度から視認した場合でも第一のインクを付与した領域と第二のインクを付与した領域が識別され、特定の角度でのみ画像が強調表示されるインクジェット印刷物は得られなかった。
【産業上の利用可能性】
【００２１】
本発明により、特定の角度から視認した場合のみ、画像が強調表示されるインクジェット印刷物が提供される。
【符号の説明】
【００２２】
９１  インクジェット印刷物
９２  入射光
９３  拡散光
９４  光源
９５  正反射光
１０１  第二の領域
１０２  第一の領域
【図１】
2016087985.tif 000003
【図２】
2016087985.tif 000004
【図３】
2016087985.tif 000005